(57)【要約】ＸＹ面及び当該平面に垂直なＺ方向を画定する掃除用品。この掃除用品は、キャリアシートに配置された別個のトウ繊維の房を有する。別個の房は、房の外側に結合線を有する。結合線は、房のＺ方向厚さを中断して、標的表面からの塵の回収及び保持を改善するためのチャネルを提供する。
2021516573.tif 000002
【特許請求の範囲】
【請求項１】
ＸＹ面及び前記ＸＹ面に垂直なＺ方向を画定する交互の長手方向縁部及び横断方向縁部によって囲まれた掃除用品であって、長手方向軸を有し、
第１面及び前記第１面に対し反対側の第２面を有するキャリアシートと、
複数の１次結合部によって前記キャリアシートの前記第１面に接合された複数の別個の離間したトウ繊維の房であって、前記ＸＹ面において少なくとも部分的に前記複数の房を通るチャネルを形成する、前記房を通る少なくとも１つの２次結合部を有する、房とを備える、掃除用品。
【請求項２】
前記複数のトウ繊維が、トウ繊維の複数の線を備える、請求項１に記載の掃除用品。
【請求項３】
前記少なくとも１つの２次結合部が、複数の離間した２次結合部を備える、請求項１又は２に記載の掃除用品。
【請求項４】
前記少なくとも１つの２次結合部が複数の２次結合部を備え、前記複数の２次結合部がヒートシール２次結合部である、請求項１〜３のいずれか一項に記載の掃除用品。
【請求項５】
前記少なくとも１つの２次結合部が複数の２次結合部を備え、前記複数の２次結合部が超音波２次結合部である、請求項１〜４のいずれか一項に記載の掃除用品。
【請求項６】
前記少なくとも１つの２次結合部が複数の２次結合部を備え、前記複数の２次結合部が実質的に同じ幾何学的形状である、請求項１〜５のいずれか一項に記載の掃除用品。
【請求項７】
前記少なくとも１つの２次結合部が複数の２次結合部を備え、前記複数の２次結合部の各前記２次結合部が、前記トウ繊維全体にわたって前記トウ繊維に対する横断方向に延在する、請求項１〜６のいずれか一項に記載の掃除用品。
【請求項８】
前記少なくとも１つの２次結合部が複数の２次結合部を含み、前記複数の２次結合部の各前記２次結合部が互いに平行である、請求項１〜７のいずれか一項に記載の掃除用品。
【請求項９】
前記少なくとも１つの２次結合部が複数の２次結合部を備え、前記複数の２次結合部の各前記２次結合部が直線状であり、前記複数のトウ繊維全体にわたって前記複数のトウ繊維に対する横断方向に延在する、請求項１〜８のいずれか一項に記載の掃除用品。
【請求項１０】
前記少なくとも１つの２次結合部が複数の２次結合部を備え、前記複数の２次結合部の各前記２次結合部が、前記複数のトウ繊維の房の縁部と交差し、そこから末端部まで延在する、請求項１〜９のいずれか一項に記載の掃除用品。
【請求項１１】
前記少なくとも１つの２次結合部が、前記複数の房の第１の長手方向縁部と交差して、そこからそれぞれの第１の複数の末端部まで延在する第１の複数の２次結合部を備え、前記複数の房の第２の長手方向縁部と交差して、そこから複数のそれぞれの第２の末端部まで延在する第２の複数の２次結合部を備える、請求項１〜１０のいずれか一項に記載の掃除用品。
【請求項１２】
前記少なくとも１つの２次結合部が、前記複数の房の第１の長手方向縁部と交差して、そこからそれぞれの第１の複数の末端部まで延在する第１の複数の２次結合部を備え、前記複数の房の長手方向縁部と交差して、そこからそれぞれの第２の複数の末端部まで延在する第２の複数の２次結合部を備え、前記第１の複数の２次結合部及び前記第２の複数の２次結合部が山形パターンで配列されている、請求項１〜１１のいずれか一項に記載の掃除用品。
【請求項１３】
前記少なくとも１つの２次結合部が複数の２次結合部を備え、前記複数の２次結合部の各前記２次結合部が、前記複数の房の長手方向縁部と交差して、そこから末端部まで延在し、前記２次結合部が２〜１２ｍｍの一定幅を有する、請求項１〜１２のいずれか一項に記載の掃除用品。
【請求項１４】
前記少なくとも１つの２次結合部が複数の２次結合部を備え、前記複数の２次結合部の各２次結合部が、前記複数の房の１つの長手方向縁部と交差して、前記長手方向軸に概ね垂直に延在する、請求項１〜１３のいずれか一項に記載の掃除用品。
【請求項１５】
前記少なくとも１つの２次結合部が複数の２次結合部を備え、前記複数の２次結合部の各前記２次結合部が前記複数の房の１つの前記長手方向縁部と交差し、そこから対角線状に延在する、請求項１〜１４のいずれか一項に記載の掃除用品。
【発明の詳細な説明】
【技術分野】
【０００１】
本発明は、掃除のための、トウ繊維の房を有する掃除用品に関する。
【背景技術】
【０００２】
様々な掃除用品が、ほこり取り及び軽い掃除のために開発されてきた。例えば、乾燥した状態で、又は研磨及び洗浄組成物によって濡れた状態で使用される、布きれ及びペーパータオルが、調理台、シャワー、シンク、床などの比較的平らな表面で使用されてきた。米国特許第９，２９６，１７６号に開示されているように、積層性拭き取り布が提案されてきた。しかし、布きれ、拭き取り布、及びペーパータオルには、衛生状態（使用者の手が、化学薬品、汚れ、又は掃除中の表面に触れることがある）、届く範囲（布きれ、拭き取り布、又はペーパータオルを持った状態で、使用者の手を、届きにくい場所に入れることが困難であることがある）、及び不便さ（狭い間隔で配置された物品の間を掃除する場合、通常、これらの物を移動させる必要がある）などの理由による問題がある。
【０００３】
布きれ及びペーパータオルの使用に伴うこれらの問題を克服するために、Ｈａｙｄｅｎによる１９０６年発行の米国特許第８２３，７２５号に記載のフェルト及び毛を使用したデバイス、及び同第４，１４５，７８７号に記載の糸を使用したデバイスなどの、再利用可能な様々な集塵デバイスが、１世紀を超えて利用されてきた。再利用可能な集塵デバイスの問題に対処するため、限定的な再利用性を有する使い捨て掃除用品が開発されてきた。これらの使い捨て掃除用品は、米国特許出願公開第２００６／０１７１７６４号、米国特許第６，１４３，３９３号、同第６，２４１，８３５号、同第６，３１９，５９３号、同第６，３２９，３０８号、同第６，５５４，９３７号、同第６，７７４，０７０号、同第６，８１３，８０１号、同第６，８３０，８０１号、同第６，９８４，６１５号、同第７，００３，８５６号、同第７，５６６，６７１号、同第７，７１２，１７８号、同第７，７７９，５０２号、同第７，８７０，６３５号、同第７，９３７，７９７号、同第８，１４６，１９７号、同第８，１５１，４０２号、同第８，１６１，５９４号、同第８，１８６，００１号、同第８，２２５，４５３号、同第８，２４５，３４９号、同第８，６４６，１４４号、同第８，５２８，１５１号、同第８，６１７，６８５号、同第８，６４６，１４４号、同第８，７５２，２３２号、同第８，７５６，７４６号、同第８，７６３，１９７号、同第８，７９３，８３２号、同第９，１１３，７６８号、同第９，１９８，５５３号及び同一譲渡人に譲渡された米国特許第８，０７５，９７７号に示す、シートに取り付けられた、トウ繊維と呼ばれる合成繊維房を含んでもよい。
【０００４】
米国特許第７，５６６，６７１号、本願と同一譲受人に譲渡された同第７，８０３，７２６号、及び本願と同一譲受人に譲渡された米国特許出願公開第２００８／００２８５６０号に開示されているように、トウ繊維を有する使い捨てダスターは、湿式掃除用に提供されてもよい。しかし、トウ繊維は濡れるともつれた状態になることがあるため、広い又はひどく濡れた表面（例えば、床）の掃除には好適ではない。したがって、ダスターは、極めて広い又はひどく汚れた表面の掃除には好適ではないことがある。
【０００５】
したがって、床などのより大きな標的表面を掃除するための様々なシートが提案されている。弾性挙動を有するウェブは、本願と同一譲受人に譲渡された米国特許第５，６９１，０３５号に提案されている。米国特許第６，２４５，４１３号、及び同第７，３８６，９０７号に開示されているように、くぼみを有するシートも提案されている。米国特許第６，５５０，０９２号に開示されているように、空洞を有するシートが提案されている。粘着性掃除シートは、米国特許第７，２９１，３５９号に提案されている。房は、本願と同一譲受人に譲渡された米国特許第７，６８２，６８６号、同第７，８３８，０９９号、及び／又は同第８，０７５，９７７号に教示されている。更に他の試みでは、ワックス及び／又は油のコーティングを使用する。ワックス及び油などのコーティングは、米国特許第６，５５０，０９２号、同第６，７７７，０６４号、同第６，７９７，３５７号、同第６，９３６，３３０号、同第６，９８４，６１５号、同第７，３８６，９０７号、同第７，５６０，３９８号、同第７，７８６，０３０号、同第８，５３６，０７４号、同第９，２０４，７７５号及び同第９，３３９，１６５号に概して開示されている。特定の両親媒性コーティングは、米国特許第８，８５１，７７６号に開示されている。
【０００６】
一部の従来技術は、意図される収集対象の塵のサイズに基づいて、単純に大きい塵及び小さい塵に焦点を合わせる試みがなされている。しかし、これらの教示は、床を掃除する際に一般的に見出される範囲の塵を収集するための適切なトウ繊維の使用に必ずしも対処するものとはなっていない。掃除用シートにトウ繊維を組み込む従来技術の試みは、そのような体積及び密度の差を考慮に入れていなかった。泥などのより高密度の粒状の塵は、必ずしもトウ繊維によって捕捉されない。トウ繊維の間隔が広すぎると、高密度の粒状の塵と接触することすらできず、表面にあるそのような塵をほとんど掃除することができなくなる。トウ繊維の間隔が密すぎると、より大きな体積でより低い密度の塵を捕らえて保持することができない場合がある。このような塵が最初に捕捉された場合であっても、先行技術のシートは、そのような塵をシートによってどのように保持するかという問題に対処していない。
【先行技術文献】
【特許文献】
【０００７】
【特許文献１】米国特許第９，２９６，１７６号
【特許文献２】米国特許第８２３，７２５号
【特許文献３】米国特許第４，１４５，７８７号
【特許文献４】米国特許出願公開第２００６／０１７１７６４号
【特許文献５】米国特許第６，１４３，３９３号
【特許文献６】米国特許第６，２４１，８３５号
【特許文献７】米国特許第６，３１９，５９３号
【特許文献８】米国特許第６，３２９，３０８号
【特許文献９】米国特許第６，５５４，９３７号
【特許文献１０】米国特許第６，７７４，０７０号
【特許文献１１】米国特許第６，８１３，８０１号
【特許文献１２】米国特許第６，８３０，８０１号
【特許文献１３】米国特許第６，９８４，６１５号
【特許文献１４】米国特許第７，００３，８５６号
【特許文献１５】米国特許第７，５６６，６７１号
【特許文献１６】米国特許第７，７１２，１７８号
【特許文献１７】米国特許第７，７７９，５０２号
【特許文献１８】米国特許第７，８７０，６３５号
【特許文献１９】米国特許第７，９３７，７９７号
【特許文献２０】米国特許第８，１４６，１９７号
【特許文献２１】米国特許第８，１５１，４０２号
【特許文献２２】米国特許第８，１６１，５９４号
【特許文献２３】米国特許第８，１８６，００１号
【特許文献２４】米国特許第８，２２５，４５３号
【特許文献２５】米国特許第８，２４５，３４９号
【特許文献２６】米国特許第８，６４６，１４４号
【特許文献２７】米国特許第８，５２８，１５１号
【特許文献２８】米国特許第８，６１７，６８５号
【特許文献２９】米国特許第８，７５２，２３２号
【特許文献３０】米国特許第８，７５６，７４６号
【特許文献３１】米国特許第８，７６３，１９７号
【特許文献３２】米国特許第８，７９３，８３２号
【特許文献３３】米国特許第９，１１３，７６８号
【特許文献３４】米国特許第９，１９８，５５３号
【特許文献３５】米国特許第８，０７５，９７７号
【特許文献３６】米国特許第７，８０３，７２６号
【特許文献３７】米国特許出願公開第２００８／００２８５６０号
【特許文献３８】米国特許第５，６９１，０３５号
【特許文献３９】米国特許第６，２４５，４１３号
【特許文献４０】米国特許第７，３８６，９０７号
【特許文献４１】米国特許第６，５５０，０９２号
【特許文献４２】米国特許第７，２９１，３５９号
【特許文献４３】米国特許第７，６８２，６８６号
【特許文献４４】米国特許第７，８３８，０９９号
【特許文献４５】米国特許第６，７７７，０６４号
【特許文献４６】米国特許第６，７９７，３５７号
【特許文献４７】米国特許第６，９３６，３３０号
【特許文献４８】米国特許第７，５６０，３９８号
【特許文献４９】米国特許第７，７８６，０３０号
【特許文献５０】米国特許第８，５３６，０７４号
【特許文献５１】米国特許第９，２０４，７７５号
【特許文献５２】米国特許第９，３３９，１６５号
【特許文献５３】米国特許第８，８５１，７７６号
【発明の概要】
【発明が解決しようとする課題】
【０００８】
したがって、本発明は、掃除用シート上にトウ房を好ましいように処理することにより、日常の掃除において遭遇する様々な範囲の塵を捕捉し保持するために、硬質表面掃除用品にトウ繊維をどのように組み込むかという問題に対処する。
【課題を解決するための手段】
【０００９】
本発明は、縁部に囲まれ、長手方向軸を有し、キャリアシートと、キャリアシートに接合された複数の別個の離間したトウ繊維の房とを備える掃除用品を含む。房は、塵の蓄積のためのチャネルを形成する、房を通る２次結合部を有する。
【図面の簡単な説明】
【００１０】
図では、掃除用品の結合線及び設置面積は、縮尺どおりに描かれている。トウ繊維の房を概略的に示す。本明細書で使用する場合、上面図は、標的表面に面して接触する掃除用品の図である。底面図は上面図に対向しており、掃除デバイスが取り付けられたときに掃除用品のヘッドに面している。
【図１Ａ】本発明による掃除用品の上面図であり、ダイヤモンドとして表される別個の房を有し、一定幅の連続２次結合部が横断方向軸に概ね平行に配向されている。
【図１Ｂ】各房の共通の基端部で表される別個の房を有する、図１Ａの掃除用品の平面図である。
【図１Ｃ】図１Ａ及び図１Ｂの掃除用品の底面図である。
【図１Ｄ】本発明による掃除用品の上面図であり、ダイヤモンドとして表される別個の房を有し、可変幅の連続２次結合部が横断方向軸に概ね平行に配向されている。
【図１Ｅ】各房の共通の基端部で表される別個の房を有する、図１Ｄの掃除用品の平面図である。
【図１Ｆ】図１Ｄ及び図１Ｅの掃除用品の底面図である。
【図２Ａ】本発明による掃除用品の上面図であり、ダイヤモンドとして表される別個の房を有し、中断した一定幅の２次結合部が横断方向軸に概ね平行に配向されている。
【図２Ｂ】各房の共通の基端部で表される別個の房を有する、図２Ａの掃除用品の平面図である。
【図２Ｃ】図２Ａ及び図２Ｂの掃除用品の底面図である。
【図２Ｄ】本発明による掃除用品の上面図であり、ダイヤモンドとして表される別個の房を有し、中断した可変幅の２次結合部が横断方向軸に概ね平行に配向されている。
【図２Ｅ】各房の共通の基端部で表される別個の房を有する、図２Ｄの掃除用品の平面図である。
【図２Ｆ】図２Ｄ及び図２Ｅの掃除用品の底面図である。
【図３Ａ】本発明による掃除用品の上面図であり、ダイヤモンドとして表される別個の房を有し、連続した２次結合部の対が横断方向軸に概ね平行に配向されている。
【図３Ｂ】各房の共通の基端部で表される別個の房を有する、図３Ａの掃除用品の平面図である。
【図３Ｃ】図３Ａ及び図３Ｂの掃除用品の底面図である。
【図４Ａ】本発明による掃除用品の上面図であり、ダイヤモンドとして表される別個の房を有し、中断した２次結合部の対が横断方向軸に概ね平行に配向されている。
【図４Ｂ】各房の共通の基端部で表される別個の房を有する、図４Ａの掃除用品の平面図である。
【図４Ｃ】図４Ａ及び図４Ｂの掃除用品の底面図である。
【図５Ａ】本発明による掃除用品の上面図であり、ダイヤモンドとして表される別個の房を有し、連続した２次結合部が横断方向軸に対して対角線状に配向されている。
【図５Ｂ】各房の共通の基端部で表される別個の房を有する、図５Ａの掃除用品の平面図である。
【図５Ｃ】図５Ａ及び図５Ｂの掃除用品の底面図である。
【図６Ａ】本発明による掃除用品の上面図であり、ダイヤモンドとして表される別個の房を有し、オフセットされた中断２次結合部が長手方向軸に対して対角線状に配向されている。
【図６Ｂ】各房の共通の基端部で表される別個の房を有する、図６Ａの掃除用品の平面図である。
【図６Ｃ】図６Ａ及び図６Ｂの掃除用品の底面図である。
【図７Ａ】本発明による掃除用品の上面図であり、ダイヤモンドとして表される別個の房を有し、連続した２次結合部の対が横断方向軸に対して対角線状に配向されている。
【図７Ｂ】各房の共通の基端部で表される別個の房を有する、図７Ａの掃除用品の平面図である。
【図７Ｃ】図７Ａ及び図７Ｂの掃除用品の底面図である。
【図８Ａ】本発明による掃除用品の上面図であり、ダイヤモンドとして表される別個の房を有し、オフセットされた中断した２次結合部の対が横断方向軸に対して対角線状に配向されている。
【図８Ｂ】各房の共通の基端部で表される別個の房を有する、図８Ａの掃除用品の平面図である。
【図８Ｃ】図８Ａ及び図８Ｂの掃除用品の底面図である。
【図９Ａ】本発明による掃除用品の上面図であり、ダイヤモンドとして表される別個の房を有し、連続した山形の２次結合部が長手方向に配向されている。
【図９Ｂ】各房の共通の基端部で表される別個の房を有する、図９Ａの掃除用品の平面図である。
【図９Ｃ】図９Ａ及び図９Ｂの掃除用品の底面図である。
【図１０Ａ】本発明による掃除用品の上面図であり、ダイヤモンドとして表される別個の房を有し、中断された山形の２次結合部が長手方向に配向されたヘリンボーンを形成している。
【図１０Ｂ】各房の共通の基端部で表される別個の房を有する、図１０Ａの掃除用品の平面図である。
【図１０Ｃ】図１０Ａ及び図１０Ｂの掃除用品の底面図である。
【図１１Ａ】本発明による掃除用品の上面図であり、ダイヤモンドとして表される別個の房を有し、連続した山形の２次結合部の対が長手方向に配向されている。
【図１１Ｂ】各房の共通の基端部で表される別個の房を有する、図１１Ａの掃除用品の平面図である。
【図１１Ｃ】図１１Ａ及び図１１Ｂの掃除用品の底面図である。
【図１２Ａ】本発明による掃除用品の上面図であり、ダイヤモンドとして表される別個の房を有し、中断した一定幅の山形の２次結合部の対が、長手方向に配向されたヘリンボーンを形成している。
【図１２Ｂ】各房の共通の基端部で表される別個の房を有する、図１２Ａの掃除用品の平面図である。
【図１２Ｃ】図１２Ａ及び図１２Ｂの掃除用品の底面図である。
【図１２Ｄ】本発明による掃除用品の上面図であり、ダイヤモンドとして表される別個の房を有し、中断した可変幅の山形の２次結合部の対が、塵を回収するためのオフセット区域を有する、長手方向に配向されたヘリンボーンを形成している。
【図１２Ｅ】各房の共通の基端部で表される別個の房を有する、図１２Ｄの掃除用品の平面図である。
【図１２Ｆ】図１２Ｄ及び図１２Ｅの掃除用品の底面図である。
【図１３Ａ】本発明による掃除用品の上面図であり、ダイヤモンドとして表される別個の房を有し、連続した２次結合部がダイヤモンドパターンを形成している。
【図１３Ｂ】各房の共通の基端部で表される別個の房を有する、図１３Ａの掃除用品の平面図である。
【図１３Ｃ】図１３Ａ及び図１３Ｂの掃除用品の底面図である。
【図１４Ａ】本発明による掃除用品の上面図であり、ダイヤモンドとして表される別個の房を有し、中断した２次結合部がダイヤモンドパターンを形成している。
【図１４Ｂ】各房の共通の基端部で表される別個の房を有する、図１４Ａの掃除用品の平面図である。
【図１４Ｃ】図１４Ａ及び図１４Ｂの掃除用品の底面図である。
【図１５Ａ】本発明による掃除用品の上面図であり、ダイヤモンドとして表される別個の房を有し、連続した２次結合部の対がダイヤモンドパターンを形成している。
【図１５Ｂ】各房の共通の基端部で表される別個の房を有する、図１５Ａの掃除用品の平面図である。
【図１５Ｃ】図１５Ａ及び図１５Ｂの掃除用品の底面図である。
【図１６Ａ】本発明による掃除用品の上面図であり、ダイヤモンドとして表される別個の房を有し、中断した２次結合部の対がダイヤモンドパターンを形成している。
【図１６Ｂ】各房の共通の基端部で表される別個の房を有する、図１６Ａの掃除用品の平面図である。
【図１６Ｃ】図１６Ａ及び図１６Ｂの掃除用品の底面図である。
【図１７】本発明による掃除用品及び上述の２次結合部の様々な組み合わせの概略平面図であり、わかりやすくするために房を省略している。
【図１８】本発明による掃除用品の性能を示す棒グラフである。
【図１９Ａ】均一なグリッド内に配置され、各房の共通の基端部で表される別個の房を有する、先行技術による掃除用品の上面図である。図１０Ａは、房の前縁部における大きい又は中程度の塵の蓄積を概略的に示す。
【図１９Ｂ】ｚ方向における房の一定厚さを示す、図１０Ａの掃除用品の側面図である。
【図２０Ａ】請求項に係る本発明と共に使用するのに好適な、掃除用品が取り付け可能な床掃除器具の斜視図である。
【図２０Ｂ】本発明と共に使用するのに好適な、フロア上に液体洗浄剤を噴霧する床掃除器具の斜視図である。
【図２０Ｃ】請求項に係る本発明によるダスター型掃除用品と共に使用するのに好適なハンドルの斜視図である。
【発明を実施するための形態】
【００１１】
図１Ａ〜図１７を概ね参照すると、掃除用品１０は、概ね細長い長方形であり得るが、他の形状も企図され、実行可能である。掃除用品１０は、床の掃除に好適な掃除用品１０を提供するために、積層形態で接合された２つ以上の構成要素を含むことができる。掃除用品１０はキャリアシートを有することができ、このシートは、他の構成要素を取り付けるためのシャーシを形成している。掃除用品１０は、トウ繊維からなる複数の房１５を有する。房１５は、房１５のグリッド又はフィールドを形成する列３０内に配置されてもよい。房１５は、第１の複数の１次結合部３２によってキャリアシートに接合されている。第２の複数の２次結合部３４は、房１５を通じてチャネル又は溝を形成して、その中への塵の蓄積に備えている。
【００１２】
掃除用品１０は、使い捨ての場合がある。「使い捨て」とは、掃除用品１０が１回の掃除作業、あるいは概して数平方メートル以下に対して使用され、その後、廃棄され得ることを意味している。対照的に、再利用可能な掃除用品１０は、使用後、洗濯されるか、他の方法で元の状態に戻される。
【００１３】
本明細書で使用する場合、本発明による掃除用品１０、特にそのキャリアシートは、巨視的に平面状であり、ＸＹ面を画定する。房１５は、ＸＹ面に垂直なＺ方向へ外方に延在する。掃除用品１０は、長手方向を画定する長手方向軸ＬＡと、それに直交し、横断方向を画定する横断方向軸ＴＡとを有してもよく、両方の軸ＬＡ、ＴＡはＸＹ面内に位置する。掃除用品１０及びその各構成要素は、長手方向軸ＬＡに平行な２つの長手方向縁部２０と、横断方向軸ＴＡに平行な２つの横断方向縁部２２とを有し得る。例えば、房１５のフィールドは、キャリアシート内に配置された長手方向縁部２２０及び横断方向縁部２２２を画定してもよい。
【００１４】
掃除用品１０の長さは、長手方向において測られる。掃除用品１０の幅は、長さ方向に対して垂直であり、かつ、シートの面内に配置される横断方向に対応する。ＸＹ面は、掃除用品１０によって画定される面によって定義される。掃除用品１０のＺ方向は、掃除用品１０の平面に対して垂直な方向である。厚さは、Ｚ方向の寸法として定義される。掃除用品１０は、２０〜５０ｃｍの長さ及び１０〜３０ｃｍの幅を有してもよい。具体的には、掃除用品１０は、後述するように、典型的な掃除器具７０のヘッド７４に適合するように、最大寸法で測定したとき、長さが３０＋／−２ｃｍであり、幅が１４＋／−２ｃｍであってもよい。当然のことながら、当業者であれば、他の形状が実現可能であり、本発明の範囲内であることを理解するであろう。
【００１５】
掃除用品１０は、外側に向いた掃除面と、その反対側にある取り付け面とを有してもよい。掃除用品１０は、乾燥状態で使用されることが意図されるが、湿式掃除も想到され、本発明の範囲内である。掃除用品１０はまた、湿式掃除のための任意の吸収性コアを有してもよい。任意選択的なコアは、具体的には、幅が６．５＋／−２ｃｍであり、長さが２６＋／−２ｃｍであってもよい。
【００１６】
より具体的には、掃除用品１０は、少なくとも１つのトウ繊維房１５と、少なくとも１つのキャリアシートと、を有する構造を含んでもよい。トウ繊維房１５及びキャリアは、向かい合わせの関係で、少なくとも１つの永続結合部３８によって接合されて、積層体を形成している。トウ繊維房１５（複数可）は、キャリアシートの平面から広がって外方に延在して、Ｚ方向の厚さを与えてもよい。房１５は、キャリアシート上に直接配置されてもよい。任意選択的に、房１５は、前駆体シートに結合されてもよく、これは次にキャリアシートに接合される。
【００１７】
具体的には、キャリアシートは、合成不織布を含んでもよい。合成繊維を有するキャリアシートは、それらへのトウ繊維の好都合な接合をもたらす。当技術分野で知られているように、不織布には、スパンボンド方式、カード方式、及びエアレイド方式の材料が含まれ、不織布は、合成繊維から作製されている。好適な不織シートは、本願と同一譲受人に譲渡された米国特許第６，７９７，３５７号に従って作製されてもよい。キャリアシートは、任意選択的に、ポリオレフィンフィルム又はマイクロファイバーを含み、液体透過性又は不透過性であり得る。
【００１８】
キャリアシートはセルロースを含み、それによって吸収力を提供してもよい。当技術分野で知られているように、セルロース系シートには、永続的な湿潤強度を有する樹脂を添加してもよい。あるいは、吸収性及びバリア性の両方を提供するために、キャリアシートは、好ましくは、セルロース系繊維及び合成繊維の混合物を含んでもよい。
【００１９】
キャリアシートは、坪量が２０〜８０ｇｓｍの水流交絡スパンボンド不織布を含んでもよい。Ａｖｇｏｌ  Ｎｏｎｗｏｖｅｎｓ（Ｔｅｌ−Ａｖｉｖ、Ｉｓｒａｅｌ）の４５ｇｓｍの不織布が好適であることがわかっている。キャリアシートは、当該技術分野において既知のように、接着剤及び／又は熱接着部を使用して互いに接合された２つ、３つ、又はそれ以上の層の積層体を含んでもよい。ループ又は同様の材料の任意選択的な取り付け用ストライプが、取り付け面に接合されて、掃除用品１０をハンドル７２又は器具７０に取り外し可能に接合し得る。キャリアシートの１つ又は２つ以上の層は、当該技術分野において既知のように、マイクロファイバー、特にナイロンマイクロファイバーを含んでもよい。
【００２０】
掃除用品１０は、任意の掃除ストリップ要素を有してもよい。掃除ストリップ要素は、本願と同一譲受人に譲渡された米国特許第８，４０７，８４８号に開示される一体型突出部を有するポリオレフィンフィルムを含んでもよく、又はトウ繊維のロープであってもよい。掃除ストリップ要素は好ましくは、スパンレース又は水流交絡法などのプロセスを使用して合成不織布に結合された薄織物（tissue）として形成されたウェットレイド繊維の混合物を含んでもよい。掃除ストリップ要素は、具体的に、Ｓｕｏｍｉｎｅｎ（Ｈｅｌｓｉｎｋｉ、Ｆｉｎｌａｎｄ）によってＧｅｎｅｓｉｓ  ｔｉｓｓｕｅという名称で販売されている、２３ｇｓｍの薄織物及び１７ｇｓｍのポリプロピレンスパンボンドの複合材料を含んでもよい。あるいは、掃除ストリップ要素、前駆体シート及び／又はキャリアシートは、代替的に又は追加的に、ナイロンマイクロファイバーを含んでもよい。
【００２１】
トウ繊維、及びそれにより形成される房１５は、合成であってよく、ポリエステル、ポリプロピレン、ポリエチレン、生物由来ポリマー（例えば、ポリ乳酸、バイオポリエチレン、バイオポリエステルなど）などを含むポリマーを含んでいてよい。トウ繊維はまた、セルロース、アセチルセルロース、亜麻、麻、黄麻、及びこれらの混合物などの天然物由来の繊維を含んでもよく、この場合、個々の繊維は、束状に製造された比較的長いストランドである。好ましいトウ繊維は、ポリエチレンシースを有するポリプロピレン又はポリエチレンコアを有する二成分繊維である。トウ繊維は、フィラメント当たり１．５〜８．０デニール、全捲縮で１５，０００〜９５，０００デニールを有し得る。トウ繊維は、本譲受人によって販売されているＳｗｉｆｆｅｒ（登録商標）Ｄｕｓｔｅｒ（商標）の構成要素である。
【００２２】
トウ繊維房１５（複数可）は、複数の永続１次結合部３２によってキャリアシートに接合されてもよい。１次結合部３２は、離れた又は離脱したトウ繊維がキャリアシートからほどけることを、最小限に抑える又は防ぐことを意図している。このようなシート１２及びトウ繊維房１５（複数可）は、典型的には、介在シート、介在部材又は介在構成要素をその間に挟んで又は挟まずに、互いに直接重畳されている場合がある。１次結合部３２は、当該技術分野において既知であるように、超音波結合３８、接着剤結合３８、熱接着部３８、又はそれらの組み合わせであってもよい。
【００２３】
掃除用品１０は、第２の複数の２次結合部３４を有する。２次結合部３４は、房１５が１次結合部３２によってキャリアシートに接合された後に形成される。２次結合部３４は、概ね直線状であり、少なくとも１、好ましくは少なくとも１０、より好ましくは少なくとも２０のＸＹ面内のアスペクト比を有する。２次結合部３４は、Ｚ方向における房１５の厚さを低減する。２次結合部３４の縁部と位置合わせされた房１５のバランスに対する２次結合部３４の厚さの低減により、塵を捕らえるためのチャネルが作られる。２次結合部３４は、一定幅であってもよく、又はその末端部に向かって収束してもよい。
【００２４】
２次結合部３４は、同じサイズ、長手方向軸に対する配向及び間隔であってもよい。あるいは、２次結合部３４は、所望に応じて、可変幅、長さ、間隔、角度配向及び／又は幾何学的形状であってもよい。
【００２５】
２次結合部３４によって形成されたチャネルは、大きい塵を掃除用品１０の長手方向軸ＬＡに接近する方向に進入させることができる。特にこの配置は、通常の使用中により大きい塵が２次結合部によって形成されたチャネル内で捕らえられ得る一方で、より小さい塵が房１５によって捕らえられるという利益を提供する。
【００２６】
２次結合部３４は、その上に配置された接着剤を有してもよい。接着剤は、２次結合部３４によって形成されたチャネルに入る塵の保持を補助する。好適な接着剤は、接触接着剤を含む。接着剤は、噴霧、ローラー、及びゾーンコーティングのための当該技術分野において既知の他の技術によって、２次結合部３４に適用されてもよい。
【００２７】
房１５のフィールドの横断方向縁部２２２は、キャリアシートの横断方向縁部２２と並置されてもよく、又はそれと一致してもよい。好ましくは、外周結合部３４Ｐは、房１５のフィールドのトウ繊維をそれぞれの横断方向縁部２２、２２２にて接合する。この配置は、連続ウェブから又は介在１次結合部３２のない横断方向縁部２２の付近にあるスリット３６上の個々の掃除用品１０を分離するときに、トウ繊維の損失の発生を防止する。本明細書で使用する場合、スリット３６は、２つの繊維及び下にあるキャリアシートを通過して、それにより房１５を形成する。
【００２８】
本発明に係る掃除用品１０は、キャリアシートを提供することによって作製されてもよい。トウ繊維は、キャリアシート上に配置される。本明細書に示す実施形態では、トウ繊維は一般に長手方向に揃えられているが、本発明はそのように限定されない。トウ繊維は、横断方向にオフセットされた１次結合部３２を用いてキャリアシートに接合されている。１次結合部３２は、横断方向に向けられている。１次結合部３２はティアドロップとして示されているが、本発明はそのように限定されない。１次結合部３２は、トウ繊維がそれによってキャリアシートに永続接合される限り、直線状又は任意の所望の形状及びサイズであってもよい。
【００２９】
房１５は、結合部３８間のキャリアシート及びトウ繊維を複数のスリットで切断することによって作製される。房１５を形成するトウ繊維の基端部は、それぞれの１次結合部３２によって画定されている。２つの連続スリット３６は、それぞれの房１５のトウ繊維の基端部を画定及び形成している。
【００３０】
房１５は、房１５の厚さをＺ方向に増加させるために、任意選択的に毛羽立たせることができる。任意の毛羽立ちは、当該技術分野において既知であるように、空気を吹き込むことによって達成され得る。
【００３１】
スリット３６の形成及び毛羽立ちの後、２次結合部３４が適用される。２次結合部３４は、１次結合部３２と同様に形成されてもよく、又は異なる方法によって形成されてもよい。２次結合部３４は、当該技術分野において既知であるように、超音波結合３８、接着剤結合３８、熱接着部３８、又はそれらの組み合わせであってもよい。２次結合部３４を形成する任意のそのような方法は、視覚的に識別可能な２次結合部３４が形成され、２次結合部３４とトウ繊維の少なくとも２つ以上の隣接する房１５との間のＺ方向の厚み差を提供する限り、好適である。
【００３２】
２次結合部３４は、房１５のフィールドの長手方向縁部２２０と交差することが好ましい。この配置により、大きな塵用の開口部を長手方向軸に向かう方向で房１５のフィールドに進入させて、接着剤及び／又は隣接して２次結合部の境界を形成する房１５によって保持することができる。２次結合部３４がないと、大きな塵が房１５のフィールドの長手方向縁部２２０に取り込まれ、房１５が塵を更に捕らえることを妨げる場合がある。
【００３３】
この幾何学的形状は、本譲受人によって販売されているＳｗｉｆｆｅｒ（登録商標）Ｓｗｅｅｐｅｒ（商標）器具７０などの、共通サイズの掃除器具７０と共に使用されるときに、房１５及び２次結合部３４が掃除器具のヘッド７４の先端を包み込むことができるという利益を提供する。掃除器具７０のヘッド７４の先端を包み込むことは、壁及び幅木に沿った掃除を改善すると考えられる。先端上の房１５の量は、２次結合部３４によって制御することができ、２次結合部３４の幅に反比例する。
【００３４】
特に図１Ａ〜４Ｃを参照すると、掃除用品１０は、横断方向軸ＴＡに平行である連続２次結合部３４を有してもよい。この幾何学的形状は、２次結合部３４チャネルによって塵が一般に前進及び後進運動方向に進入できるようにすると同時に、大量の塵を収容する十分な容積を提供できるという利益を提供する。
【００３５】
横断方向に平行である２次結合部３４の配列は、横方向に概ね配向され、縦方向に垂直である。熱結合及び超音波結合は、典型的には、任意の時点で横方向に発生する。２次結合部３４のサイズが横方向に増大するにつれ、２次結合部３４の形成に必要なアンペア数も同様に増加する。アンペア数の増加は、典型的には、機器コストの上昇をもたらし、製造コストの上昇につながる。以下に説明する、ある変形形態は、熱結合及び／又は超音波結合を使用して横断方向に平行な同等の２次結合部３４の形成に必要なアンペア数に対して、２次結合部３４の形成に必要なアンペア数が少ないという利点を有することが示されている。
【００３６】
概ね平行かつ等間隔の房１５の列が示されているが、本発明はそのように限定されるものではない。等しい又は等しくない間隔、及び等しい又は等しくない可変幅、及び等しい又は等しくない房１５密度を有する、予測的に２〜１５の列を使用することができる。房１５の列は、横断方向軸に対して互いに平行であってもよく、横断方向軸に対して互いに斜めであってもよく、又は他の列に対して互いに斜めであってもよい。任意選択的に、接着剤は、列３０の間のスペース内に配置されてもよい。列３０は横断方向に延在してもよく、かつ長手方向軸で中断されてもよい。房１５の間の、テーパ状の房内スペースは、房１５がスペースによって中断されないという利益を提供する。したがって、全ての房１５は、効果的な掃除に十分な大きさであるように選択することができる。
【００３７】
このピッチ、すなわち房１５の密度は、長手方向縁部２０からの任意の所定の間隔で一定であってもよい。房１５は、長手方向軸及び横断方向軸に対して両側に互い違いに配置されてもよい。房１５は、それらの間に適切な間隔を提供するために、及び前後の移動の掃除（back and for the sweeping）中に塵の保持力を提供するために、両方の方向に、隣接する房１５の位置と完全に重なり合ってもよい。あるいは、最大直径、又は長手方向軸に平行に取られた他の最大寸法を有する各房１５、及び、特定の列の隣接する房１５間のピッチは、その最大直径／寸法よりも大きくてもよい。
【００３８】
このような掃除用品は、当該技術分野において一般的なように、当該長手方向軸に概ね平行に、３つ折りであってもよい。この構成は、掃除器具のヘッド７４への取り付けに一般的に使用するための、三等分部のうち外側の２つを提供する。所望であれば、房１５は、壁及び幅木に沿った掃除を提供するために、外側の三等分部のうちの少なくとも１つに、及び任意選択的に両方に、配置されてもよい。
【００３９】
この幾何学的形状は、本譲受人によって販売されているＳｗｉｆｆｅｒ（登録商標）Ｓｗｅｅｐｅｒ（商標）器具７０などの、共通サイズの掃除器具７０と共に使用されるときに、房１５が掃除器具のヘッド７４の先端を包み込むことができるという利益を提供する。掃除器具７０のヘッド７４の先端を包み込むことは、壁及び幅木に沿った掃除を改善すると考えられる。先端上の房１５の量は、スペース３１によって制御することができ、スペース３１の幅に反比例する。
【００４０】
任意選択的に、掃除用品を接着剤、ろう、ニュートン流体オイル若しくは非ニュートン流体オイル、又はそれらの組み合わせによって、完全に又は部分的にコーティングして、洗浄を改善し、かつ吸収された塵の保持性を増大し得る。特に、任意の構成のトウ繊維房１５は、鉱油コーティングでコーティングされてもよい。このコーティングは、油対界面活性剤の比が約９０％〜１０％の、鉱油と界面活性剤との混合物を含んでもよい。界面活性剤は、表面エネルギーを低減することによって、トウ繊維を湿潤させるように油を誘導する利益を提供する。界面活性剤は、非イオン性界面活性剤であり得る。
【００４１】
特に図１Ａ〜１Ｃを参照すると、２次結合部３４は、１１〜２０ｃｍの長さＣ１、０．１〜１．５ｃｍの幅Ｃ２及び１〜１０ｃｍのその間のピッチＣ３を有してもよい。これらの２次結合部３４は、房１５のフィールドの両方の長手方向縁部２２０と交差して、塵が好都合に進入できるようにする。６つの等間隔の２次結合部３４が示されているが、本発明はそのように限定されるものではない。同様の又は異なるサイズ及び／又は間隔の、より多い又はより少ない２次結合部３４を利用してもよい。
【００４２】
図１Ｄ〜１Ｆを参照すると、２次結合部３４は、結合部によって形成されるチャネルの表面を増大させて塵の保持を増大させるために、可変幅であってもよい。２次結合部３４は、単調なテーパ状であっても、又は図示するように球状であってもよい。
【００４３】
特に図２Ａ〜２Ｃを参照すると、掃除用品１０は、横断方向軸ＴＡに平行である中断した２次結合部３４を有してもよい。２次結合部３４は、２〜８ｃｍの長さＣ１及び０．１〜１．５ｃｍの幅Ｃ２を有してもよい。２次結合部３４はその間に１〜１０ｃｍのピッチＣ３を有してもよい。２次結合部３４間の横断間隔Ｓ３は、１〜６ｃｍの範囲であってもよい。これらの２次結合部３４は、房１５のフィールドの長手方向縁部２２０の両方と交差して、塵が好都合に進入できるようにする。
【００４４】
この幾何学的形状は、２次結合部３４チャネルが一般に前進及び後進運動方向に進入できるようにすると同時に、大きな塵を保持するために、長手方向軸ＬＡ上及び長手方向軸ＬＡに近接した房１５を有し得るという利益を提供する。
【００４５】
１２つの等間隔の２次結合部３４が示されているが、本発明はそのように限定されるものではない。同様の又は異なるサイズ及び／又は間隔の、より多い又はより少ない２次結合部３４を利用してもよい。
【００４６】
図２Ｄ〜２Ｆを参照すると、２次結合部３４は単調なテーパ状であってもよい。この配置は、塵が２次結合部によって作製されたチャネルに入ると、２次結合部３４が塵を捕らえるのに十分狭いとき場合に塵が捕捉されるという利益を与える。
【００４７】
特に図３Ａ〜３Ｃを参照すると、掃除用品１０は、横断方向軸ＴＡに平行である連続２次結合部の対３４を有してもよい。２次結合部３４の対とは、２つの２次結合部３４が比較的狭い近接した間隔で配置され、その対が２次結合部３４の別の対から離れて配置されていることを意味する。
【００４８】
２次結合部３４の対を有する本明細書に記載の実施形態のそれぞれについて、２次結合部３４の対は、２次結合部に比較的広い幅を必要とせずに、塵の回収のためのチャネルを形成できるという利益を提供する。２次結合部３４は、典型的には、横方向に形成される。２次結合部３４の幅が（図３Ａ〜３Ｂの水平方向に）増大するにつれて、熱封止又は超音波結合を使用して結合を達成するための必要なアンペア数も同様に増加する。２つの、より狭い対の２次結合部３４を使用すると、単一のより広い２次結合部よりも少ないアンペア数のスパイクを必要とする。
【００４９】
特に図３Ａ〜３Ｃを参照すると、２次結合部３４の対はそれぞれ、１１〜２０ｃｍの長さＣ１及び０．１〜１．５ｃｍの幅Ｃ２を有してもよい。２次結合部３４の対は、その間に１〜１０ｃｍの間隔Ｃ３を有してもよい。２次結合部３４の対の間のチャネルは、０．１〜１ｃｍの範囲であってもよい。これらの２次結合部３４は、房１５のフィールドの両方の長手方向縁部２２０の両方と交差して、塵が好都合に進入できるようにする。
【００５０】
この幾何学的形状は、２次結合部３４チャネルが一般に前進及び後進運動方向に進入できるようにすると同時に、大きな塵を保持するために、長手方向軸ＬＡ上及び長手方向軸ＬＡに近接した房１５を有し得るという利益を提供する。
【００５１】
６対の等間隔の２次結合部３４が示されているが、本発明はそのように限定されるものではない。同様の又は異なるサイズ及び／又は間隔の、より多い又はより少ない２次結合部３４を利用してもよい。２次結合部３４は、２次結合部３４の対内で異なる厚さ、又は図示するような結合対間の異なる厚さを有してもよい。
【００５２】
中断した図４Ａ〜４Ｃを参照すると、連続２次結合部３４の対は、長手方向軸ＬＡに近接して中断されてもよい。この幾何学的形状は、２次結合部３４の対のチャネルが一般に前進及び後進運動方向に進入できるようにすると同時に、大きな塵を保持するために、長手方向軸ＬＡ上及び長手方向軸ＬＡに近接した房１５を有し得るという利益を提供する。
【００５３】
横方向に対向する２次結合部３４の横断方向に対向する対の間の中断により、熱封止又は超音波結合中のアンペア数が更に低減される。アンペア数の低減により、製造コストが低減される可能性がある。
【００５４】
２次結合部３４の対はそれぞれ、２〜８ｃｍの長さＣ１及び０．０５〜０．５ｃｍの幅Ｃ２を有してもよい。２次結合部３４の対は、その間に１〜１０ｃｍの間隔Ｃ３を有してもよい。２次結合部３４の対の間のチャネルＣ４は、０．１〜１ｃｍの範囲であってもよい。２次結合部３４は、長手方向軸ＬＡを横断方向に横切る１〜６ｃｍの間隔Ｓ３を有してもよい。これらの２次結合部３４は、房１５のフィールドの両方の長手方向縁部２２０の両方と交差して、塵が好都合に進入できるようにする。
【００５５】
１２対の等間隔の２次結合部３４が示されているが、本発明はそのように限定されるものではない。同様の又は異なるサイズ及び／又は間隔の、より多い又はより少ない２次結合部３４の対を利用してもよい。
【００５６】
図５Ａ〜８Ｃ、１７Ａ〜１７Ｃ及び２０Ａ〜２１Ｃを参照すると、２次結合部３４は、長手方向軸ＬＡに対して連続的かつ対角線状に配向されてもよい。本明細書で記載及び請求されるこのような実施形態全てについて、対角線状の配向により、前後運動の間に、２次結合部３４によって形成されたチャネルに入る塵が、チャネルに接する房１５を捕らえ、それによって保持され得るという利益が提供される。更に、チャネルは、掃除中に発生する旋回及び横方向運動中に塵を捕らえることができる。
【００５７】
更に、本明細書に記載及び請求される対角２次結合部３４の実施形態全てについて、製造中の結合工程の瞬間的なアンペア数引き込みは、超音波結合又は熱結合中に横断方向に配向された２次結合部３４と比較して低減される。アンペア数の低減は、任意の時点において、より小さい結合面積が存在するために生じる。
【００５８】
図５Ａ〜５Ｃを参照すると、２次結合部３４はそれぞれ、１１〜２０ｃｍの長さＣ１及び０．１〜１ｃｍの幅Ｃ２を有してもよい。２次結合部３４は、その間に１〜１０ｃｍの間隔Ｃ３を有してもよい。２次結合部３４は、長手方向軸ＬＡと３０〜７５度の角度Ａ１を形成してもよい。これらの２次結合部３４は、房１５のフィールドの両方の長手方向縁部２２０の両方と交差して、塵が好都合に進入できるようにする。
【００５９】
７つの等間隔の２次結合部３４が示されているが、本発明はそのように限定されない。同様の又は異なるサイズ及び／又は間隔の、より多い又はより少ない２次結合部３４を利用してもよい。
【００６０】
図６Ａ〜６Ｃを参照すると、対角線状に配向された２次結合部３４は、長手方向軸ＬＡに近接して中断されていてもよい。この実施形態も、また、塵の保持のための長手方向軸上の房１５及び製造中に必要とされる瞬間的なアンペア数を低減するための対角線状結合という利益を提供する。２次結合部３４は、他の２次結合部３４から対角線状方向にオフセットされてもよい。この配置は、２次結合部３４の配置を所期の掃除作業向けにカスタマイズしてもよいという利益を提供する。図６Ａ〜６Ｂに示すように、２次結合部３４は、隣接する２次結合部３４から等間隔又は不等間隔であってもよい。
【００６１】
２次結合部３４はそれぞれ、２〜８ｃｍの長さＣ１及び０．１〜１ｃｍの幅Ｃ２を有してもよい。２次結合部３４は、その間に１〜１０ｃｍの間隔Ｃ３を有してもよい。２次結合部３４は、長手方向軸ＬＡと３０〜７５度の角度Ａ１を形成してもよい。２次結合部３４は、長手方向軸ＬＡを横断方向に横切る１〜６ｃｍの間隔Ｓ３を有してもよい。これらの２次結合部３４は、房１５のフィールドの両方の長手方向縁部２２０の両方と交差して、塵が好都合に進入できるようにする。
【００６２】
１４個の概ね等間隔の２次結合部３４が示されているが、本発明はそのように限定されるものではない。同様の又は異なるサイズ及び／又は間隔の、より多い又はより少ない２次結合部３４を利用してもよい。
【００６３】
図７Ａ〜７Ｃを参照すると、連続的な対角線状の２次結合部３４線を対にしてもよい。この配置は、２次結合部３４の対と対角線状配向との有利な組み合わせのために、任意の時点における瞬間的なアンペア数要件の低減という利益を提供する。
【００６４】
２次結合部３４はそれぞれ、１１〜２０ｃｍの長さＣ１及び０．０５〜０．５ｃｍの幅Ｃ２を有してもよい。２次結合部３４の対は、その間に１〜１０ｃｍの間隔Ｃ３を有してもよい。２次結合部３４は、２次結合部３４の対から０．１〜１ｃｍの間隔を有してもよい。２次結合部３４は、長手方向軸と３０〜７５度の角度Ａ１を形成してもよい。これらの２次結合部３４は、房１５のフィールドの両方の長手方向縁部２２０の両方と交差して、塵が好都合に進入できるようにする。
【００６５】
７対の等間隔の２次結合部３４が示されているが、本発明はそのように限定されるものではない。同様の又は異なるサイズ及び／又は間隔の、より多い又はより少ない２次結合部３４の対を利用してもよい。
【００６６】
図８Ａ〜８Ｃを参照すると、２次結合部３４は、対にされ、対角線状に配向され、中断され、長手方向軸ＬＡの他方の面に配置された２次結合部３４からオフセットされてもよい。この配置は、２次結合部３４を超音波結合又は熱結合するために必要とされる瞬間的なアンペア数を有利に更に低減する。また、長手方向軸ＬＡに近接する房１５は保持され、塵のための容量を有利に増加させる。
【００６７】
２次結合部３４のそれぞれ、２〜８ｃｍの長さＣ１、及び０．５〜５ｃｍの幅Ｃ２を有してもよい。２次結合部３４の対は、１〜１０ｃｍの間隔Ｃ３及び０１〜１ｃｍの２次結合部３４の対の間の間隔Ｃ４を有してもよい２次結合部３４は、長手方向軸と３０〜７５度の角度Ａ１を形成してもよい。２次結合部３４は、長手方向軸ＬＡを横断方向に横切る１〜６ｃｍの間隔Ｓ３を有してもよい。これらの２次結合部３４は、房１５のフィールドの両方の長手方向縁部２２０の両方と交差して、塵が好都合に進入できるようにする。
【００６８】
１４対の平行かつ概ね等間隔の２次結合部３４が示されているが、本発明はそのように限定されるものではない。同様の又は異なるサイズ及び／又は間隔の、より多い又はより少ない２次結合部３４を利用してもよい。
【００６９】
図９Ａ〜１２Ｃ、１９Ａ〜１９Ｃ及び２２Ａ〜２２Ｃを参照すると、２次結合部３４は、長手方向軸ＬＡを横切って架橋する、連続的な山形であってもよい。山形は、２次結合部３４の熱結合及び超音波結合のための瞬間的なアンペア数要件の低減という利益を提供する。山形の対角線状脚部はそれぞれ、２次結合部３４のチャネルにおける塵の保持を提供する。山形は、２つの異なる方向に対角線状に配向されたチャネルを有利に提供する。２つの異なる配向は、掃除動作が様々な方向に生じる際に、異なる方向で泥を捕らえる利点を提供する。
【００７０】
図９Ａ〜９Ｃはまた、任意の外周結合部３４Ｐが存在しないことも示している。外周結合部３４Ｐを無くすことにより、特に外周結合部３４Ｐが横断方向に平行である場合、外周結合部３４Ｐの形成に必要なアンペア数が低減されるという利益が提供される。もちろん、トウ繊維は、外周結合部３４Ｐなしに離脱されてもよい。
【００７１】
２次結合部３４の各脚部は、５〜１０ｃｍの長さＣ１及び０．１〜１ｃｍの幅Ｃ２を有してもよい。２次結合部３４は、１〜１０ｃｍの間隔Ｃ３を有してもよい。２次結合部３４は、長手方向軸と３０〜７５度の角度Ａ１を形成してもよい。これらの２次結合部３４は、房１５のフィールドの両方の長手方向縁部２２０の両方と交差して、塵が好都合に進入できるようにする。
【００７２】
６つの等間隔の２次結合部３４が示されているが、本発明はそのように限定されるものではない。同様の又は異なるサイズ及び／又は間隔の、より多い又はより少ない２次結合部３４を利用してもよい。
【００７３】
図１０Ａ〜１０Ｃを参照すると、２次結合部３４は、中断山形パターンを形成して、長手方向に配向したヘリンボーンパターンを形成してもよい。ヘリンボーンパターンは、２次結合部３４の熱結合及び超音波結合のための瞬間的なアンペア数要件の低減という利益を提供する。各ヘリンボーンの対角線状脚部は、２次結合部３４のチャネルにおける塵の保持を提供する。ヘリンボーンパターンは、有利には、２つの異なる方向に対角線状に配向されたチャネルを提供する。２つの異なる配向は、掃除動作が様々な方向に生じる際に、異なる方向で泥を捕らえる利点を提供する。長手方向軸ＬＡに最も近い房１５は、塵保持の容量を向上させるという利点を提供し、２次結合部３４の形成に必要なアンペア数を更に低減する。
【００７４】
６つの２次結合部３４が示されているが、本発明はそのように限定されるものではない。同様の又は異なるサイズ及び／又は間隔の、より多い又はより少ない２次結合部３４を利用してもよい。
【００７５】
図１１Ａ〜１１Ｃを参照すると、２次結合部３４は、対になった連続的な山形の形態であってもよい。この配置は、塵を捕らえるために、頂点及びより多くの２次結合部３４での保持という利益を提供する。２次結合部３４は１０〜１８ｃｍの横方向スパンＳ２を有し、山形２次結合部３４の各脚部は５〜１０ｃｍの長さＣ１、０．１〜１ｃｍの２次結合部３４幅Ｃ２、０．１〜１０ｃｍの２次結合部３４の対の間の間隔Ｃ３及び０．１〜１ｃｍの対内の２次結合部３４間の間隔Ｃ４を有してもよい。２次結合部３４は、長手方向軸ＬＡに対して３０〜７５度の角度Ａ１で形成されてもよい。
【００７６】
６つの等間隔の２次結合部３４対が示されているが、本発明はそのように限定されるものではない。同様の又は異なるサイズ及び／又は間隔の、より多い又はより少ない２次結合部３４を利用してもよい。
【００７７】
図１２Ａ〜１２Ｃを参照すると、中断した山形状２次結合部３４を対にして、塵を捕らえるためのより多くのチャネルを与えてもよい。２次結合部３４は、１〜６ｃｍの長手方向軸ＬＡにわたって距離Ｓ３だけ離間されていてもよい。
【００７８】
１４個の概ね等間隔の２次結合部３４が示されているが、本発明はそのように限定されるものではない。同様の又は異なるサイズ及び／又は間隔の、より多い又はより少ない２次結合部３４を利用してもよい。
【００７９】
図１２Ｄ〜１２Ｆを参照すると、前述の実施形態のいずれも、可変幅の２次結合部３４を有してもよい。この配置は、２次結合部によって形成されたチャネル内でのより大きな表面積という利益を提供する。予言的には、増大した表面積は、チャネル内でのより多くの塵の捕捉を提供すると考えられる。同様に、２次結合部３４の拡大された比較的広い部分は、塵の蓄積のために利用可能なリザーバを増大させると考えられる。２次結合部３４の拡大部分は、使用者が掃除用品を様々な方向に移動させる際に、長手方向にオフセットされて蓄積に備えてもよい。
【００８０】
図１３Ａ〜１６Ｃを参照すると、ダイヤモンド形状であってもよい。もちろん、２次結合部３４には、曲線の辺を有し、頂点を持たない同様の形状を使用してもよいことを認識されたい。ダイヤモンド形状２次結合部３４は、また、製造工程の結合ステップ中に、任意の時点により小さい結合面積が提示されるために、製造工程の結合ステップ中のアンペア数が低減されるという利益を提供する。ダイヤモンド形状は、長手方向軸ＬＡに対して反対方向に配向されたチャネルの２次結合部３４の利点を与え、塵を捕捉するより多くの機会を与える。これは前後の掃除運動中に塵を捕捉するための対称２次結合部３４パターンである。
【００８１】
図１３Ａ〜１３Ｃを参照すると、２次結合部３４は、中実であり、房フィールド２２０の本質的に一方の長手方向縁部から他方まで連続していてもよい。この配置は、より長い２次結合部３４長さという利益を提供する。上記の２次結合部３４の寸法は、この実施形態に好適であると考えられ、隣接する結合の頂点間の間隔Ｃ３が２〜２０ｃｍであり、２次結合部３４の長さＣ１は１１〜２０ｃｍである。
【００８２】
５つの完全かつ部分的に等間隔のダイヤモンド形状の２次結合部３４が示されているが、本発明はそのように限定されるものではない。同様の又は異なるサイズ及び／又は間隔の、より多い又はより少ない２次結合部３４を利用してもよい。
【００８３】
図１４Ａ〜１４Ｃを参照すると、ダイヤモンド形状の２次結合部３４は、中心線に近接して中断されてもよい。この配置は、上述の対称性を保持しながら、容量のための長手方向軸ＬＡに近接する房１５の利益を提供する。２次結合部３４は、１〜６ｃｍの横断方向Ｓ３の距離で離間していてもよい。２次結合部３４の開放端部は、隣接する開放端部から、２〜１０ｃｍの長手方向距離Ａ３Ａで離間されてもよい。
【００８４】
１０の等間隔のダイヤモンド形状の２次結合部３４が示されているが、本発明はそのように限定されるものではない。同様の又は異なるサイズ及び／又は間隔の、より多い又はより少ない２次結合部３４を利用してもよい。
【００８５】
図１５Ａ〜１５Ｃを参照すると、連続ダイヤモンド形状２次結合部３４を対にして、塵を捕らえるためのより多くのチャネルを与えてもよい。上記対称性がまた保持される。
【００８６】
５つの完全かつ部分的に等間隔のダイヤモンド形状の２次結合部３４が示されているが、本発明はそのように限定されるものではない。同様の又は異なるサイズ及び／又は間隔の、より多い又はより少ない２次結合部３４を利用してもよい。
【００８７】
図１６Ａ〜１６Ｃを参照すると、２次結合部３４の対は、長手方向軸ＬＡ近くにより多くの房の容量を提供するために中断されていてもよい。上述のダイヤモンド形状２次結合部３４の実施形態について上述した寸法は、好適であると考えられる。
【００８８】
１０の完全かつ部分的に等間隔のダイヤモンド形状２次結合部３４対が示されているが、本発明はそのように限定されるものではない。より多い又はより少ない同様の又は異なるサイズ及び／又は間隔を利用してもよい。
【００８９】
図３Ａ〜４Ｃ、７Ａ〜８Ｃ、１１Ａ〜１２Ｆ、１５Ａ〜１６Ｃ及び１７を参照すると、図示するように、２次結合部３４の対を利用してもよい。しかし、本発明はそのように限定されない。３つ、４つ以上の２次結合部３４は、狭い間隔で配置され、他の狭い間隔で配置された２次結合部３４から離れて配置されてもよい。２次結合部３４の対又は狭い間隔で配置された２次結合部３４は、それらの間の房１５の厚さが２次結合部の直下の厚さよりも大きく、結合されていない房１５の厚さよりも小さいという利益を提供する。この配置は、掃除用品１０のｚ方向に３つの異なる厚さの領域が形成されるという利益を提供する。
【００９０】
図１７を参照すると、２次結合部３４は、隣接する２次結合部３４から等間隔又は不等間隔であってもよい。２次結合部３４は、同様の幾何学的形状、サイズ、角度配向及び形状であってもよく、又は相互に異なる幾何学的形状、サイズ、角度配向及び／又は形状であってもよい。掃除用品１０は、任意選択的に、ストリップ１７を有してもよい。ストリップ１７は、１を超える長さ対幅のアスペクト比を有する。所望により、長手方向軸ＬＡに対して概ね平行に配向され、かつ所望により長手方向軸ＬＡと一致する、細長いトウ繊維ロープを使用することができる。
【００９１】
図１８を参照すると、対照サンプル１Ａ及び２Ａによってそれぞれ示すような、低レベルのコーティング及び高レベルのコーティングを有する、従来技術による房状掃除用品を、ピックアップに関して試験した。
【００９２】
図１９Ａ〜１９Ｂを参照すると、対照掃除用品は、米国特許第８６１７６８５号に従って作製され、房１５の均一なグリッドを有していた。
【００９３】
先行技術によるこれらの掃除用品は、それぞれ約１．８８グラム及び２．０２グラムの塵をピックアップした。
【００９４】
サンプル１Ｂ及び２Ｂによってそれぞれ示されるように、同一のコーティングレベルを有する本発明による２つの掃除用品１０も試験した。
【００９５】
掃除用品は、図５Ａ〜５Ｃに示す結合パターンを有していた。これらの掃除用品１０の２次結合部３４は、３０ｍｍピッチで４ｍｍ幅であった。本発明によるこれらの掃除用品１０は、それぞれ約１．９６グラム及び２．１３グラムの塵を予想外にピックアップした。
【００９６】
以下の表１に示すように、予想外のピックアップの改善を以下の表１に示す。
【００９７】
【表１】
2021516573.tif 000003
【００９８】
表１に示すように、ピックアップの改善は、低コーティング掃除用品１０では７．４％、高コーティング掃除用品１０では８．７％である。ピックアップによって測定される性能の平均改善は、８．０５％である。先行技術による対照掃除用品が非常に有効であると考えられるため、８％の性能改善は有意であると考えられる。
【００９９】
図２０Ａを参照すると、掃除用品１０は、特定の作業に応じて、乾燥、湿潤及び／又は予備湿潤掃除と共に使用するために、掃除器具７０に取り外し可能に取り付け可能であってもよい。掃除器具７０は、掃除用品１０を受容するためのヘッド７４と、それに接合される細長ハンドル７２とを有し得る。典型的な床掃除器具７０は、使用者によって把持されるハンドル７２と、このハンドルに取り付けられた、好ましくは枢動可能にそれに取り付けられたヘッド７４とを有する。ヘッド７４は、床又は他の標的表面に接触して移動する。掃除用品１０は、ヘッド７４の底部に取り外し可能に取り付けられ得る。取り付けシステムは、好適で任意選択的なハンドル７２への掃除用品１０の取り外し可能な取り付けをもたらすことができる。用具７０への掃除用品１０の取り外し可能な取り付けは、接着剤３２、面ファスナーシステム、細長いスリーブ、グリッパなどを使用して達成することができる。グリッパ及び好適な掃除器具７０は、同一譲受人に譲渡された米国特許第６，４８４，３５６号に開示されている。
【０１００】
図２０Ｂを参照すると、掃除用品１０は、洗浄溶液又は外観若しくは消毒のための表面処理などの他の目的に使用可能な他の溶液と共に任意選択的に使用されてもよい。床掃除器具７０は、使用者が直立している間の床掃除を可能にしてもよく、１つ以上のノズル７６を介してリザーバ７５から床への洗浄溶液又は他の液体の噴霧を提供してもよい。好適なスプレー器具７０は、本願と同一譲受人に譲渡された米国特許第５，８８８，００６号、同第５，９８８，９２０号、同第６，８４２，９３６号、同第７，１８２，５３７号、同第７，５３６，７４３号、同第７，６７６，８７７号及び同第８，１８６，８９８号に開示されている。洗浄溶液は、掃除用品１０に予め適用されて、予め湿らせた掃除用品１０を作ってもよく、又は掃除用品１０及び／又は標的表面上に適用するために、別個のリザーバ７５の内部に収容されてもよい。洗浄溶液は、大部分が水であり、少なくとも約０．５、２、５又は１０重量％の固体、あるいは少なくとも約３０又は５０重量％の水性溶媒、非水性溶液、又はその混合物を含み得る。任意選択的な真空を有する好適な器具７０は、米国特許第７，１３７，１６９号に開示されている。
【０１０１】
図２０Ｃを参照すると、器具７０は、固定された関係で使用され、かつ１つ又は２つ以上の歯７３を含む、ハンドル７２及びヘッド７４を有してもよい。歯７３は、掃除用品１０内のスリーブに挿入されてもよい。この構成により、掃除用品１０は、小さな物体を掃除するためのダスターとして便利に使用することが可能になり、スペース３１が締め付けられる。ダスター型掃除用品１０のための好適な器具７０は、本願と同一譲受人に譲渡された米国特許第８，５７８，５６４号及び第Ｄ６７４，９４９Ｓ号に開示されている。
【０１０２】
所望される場合、掃除用品１０は、自律的に移動するロボットは無人機と共に使用され、かつそれに取り外し可能に取り付けられてもよい。本発明の掃除用品と共に使用するためのロボット及び無人機の好適な例は、本願と同一譲受人に譲渡された米国特許第６，９４１，１９９号、同第６，８１０，３０５号、同第６，７７９，２１７号、同第６，４８１，５１５号、同第６，４５９，９５５号及び２０１６年１月１１日に出願された米国特許出願第１４／９９２，１９５号、Ｐ＆Ｇ  Ｃａｓｅ  １４１８９に見出される。湿式掃除及び乾式掃除による使用のためのロボットの例は、米国特許第７，３８９，１５６号、同第８，７７４，９６６号、及び同第８，８５５，８１３号に見出される。データ制御システムは、米国特許第７，４３１，５２４号に記載されているように、掃除用品１０と共に利用されてもよい。
【０１０３】
掃除用品１０はまた、ハンドル７２又は器具７０を使用せず、手で使用することもできる。所望される場合、本明細書に記載した様々な掃除用品１０をキットとしてパッケージ化及び販売してもよい。この構成は、使用者が、異なる作業に対して異なる掃除用品１０の選択肢を有するという利益を提供する。例えば、所望される場合、複数サイズの掃除用品１０を、単一のキットとしてまとめて販売することができる。この構成により、使用者は、急な作業に対して最良に適した、特定の掃除用品１０を選択することができる。
【０１０４】
掃除用品１０は、その任意の組み合わせで、以下の非限定的な段落のいずれかに従って作製することができる。
Ａ．ＸＹ面及びＸＹ面に垂直なＺ方向を画定する縁部２０、２２によって囲まれた掃除用品１０であって、
第１面及び第１面に対し反対側の第２面とを有するキャリアシートと、
複数の１次結合部３２によって当該キャリアシートの当該第１面に接合され、かつ当該第１面からＺ方向に外方に延在して、当該ｚ方向にトウ厚さを有する複数の別個のトウ繊維と、
少なくとも１つの複数のトウ繊維上に配置され、Ｚ方向に２次結合部３４厚さを有する少なくとも１つの細長い２次結合部３４とを備え、当該２次結合部３４厚さが、Ｚ方向の当該トウ厚さよりも小さく、当該２次結合部３４が、少なくとも２つの隣接する複数のトウ繊維を架橋する、掃除用品１０。
Ｂ．ＸＹ面及びＸＹ面に垂直なＺ方向を画定する交互の長手方向縁部及び横断方向縁部２０、２２によって囲まれた掃除用品１０であって、当該用品が長手方向軸を有し、
第１面及び第１面に対し反対側の第２面とを有するキャリアシートと、
複数の１次結合部３２によって当該キャリアシートの当該第１面に接合され、かつそこからＺ方向に外方に延在して、当該Ｚ方向に房１５厚さを有する、トウ繊維の複数の別個の離間された房１５と、
少なくとも１つの房１５に配置され、Ｚ方向に２次結合部３４厚さを有する少なくとも１つの細長い２次結合部３４とを備え、当該２次結合部３４厚さが、当該房１５厚さよりも小さく、各当該２次結合部３４が、少なくとも２つの隣接するトウ繊維の房１５を架橋する、掃除用品１０。
Ｃ．ＸＹ面及びＸＹ面に垂直なＺ方向を画定する交互の長手方向縁部及び横断方向縁部２０、２２によって囲まれた掃除用品１０であって、長手方向軸を有し、
第１面及び第１面に対し反対側の第２面とを有するキャリアシートと、
複数の１次結合部３２によって当該キャリアシートの当該第１面に接合された複数の別個の離間したトウ繊維の房１５であって、当該ＸＹ面において当該複数の房１５を少なくとも部分的に通じてチャネルを形成する、房を通る少なくとも１つの２次結合部３４を有する、複数の別個の離間したトウ繊維の房１５を備える、掃除用品。
Ｄ．当該複数のトウ繊維が複数のトウ繊維の線を備える、段落Ａに記載の掃除用品１０。
Ｅ．当該少なくとも１つの２次結合部３４が、複数の離間した２次結合部３４を備える、段落Ａ、Ｂ及びＣに記載の掃除用品１０。
Ｆ．当該少なくとも１つの２次結合部３４が複数の離間した２次結合部３４を備え、当該複数の離間した２次結合部３４が少なくとも３つの隣接する複数のトウ繊維を連続的に架橋する、段落Ａ、Ｂ、Ｃ、Ｄ及びＥに記載の掃除用品１０。
Ｇ．当該少なくとも１つの２次結合部３４が複数の２次結合部３４を備え、当該複数の２次結合部３４がヒートシール２次結合部３４である、段落Ａ、Ｂ、Ｃ、Ｄ、Ｅ及びＦに記載の掃除用品１０。
Ｈ．当該少なくとも１つの２次結合部３４が複数の２次結合部３４を備え、当該２次結合部３４が超音波２次結合部３４である、段落Ａ、Ｂ、Ｃ、Ｄ、Ｅ、Ｆ及びＧに記載の掃除用品１０。
Ｉ．当該少なくとも１つの２次結合部３４が複数の２次結合部３４を備え、当該複数の２次結合部３４が、実質的に同じ幾何学的形状である、段落Ａ、Ｂ、Ｃ、Ｄ、Ｅ、Ｆ、Ｇ及びＨに記載の掃除用品１０。
Ｊ．当該少なくとも１つの２次結合部３４が複数の２次結合部３４を備え、当該複数の２次結合部３４の各当該２次結合部３４が、当該トウ繊維全体にわたって当該トウ繊維に対する横断方向に延在する、段落Ｃに記載の掃除用品１０。
Ｋ．当該少なくとも１つの２次結合部３４が複数の２次結合部３４を備え、当該複数の２次結合部３４の各当該２次結合部３４が互いに平行である、段落Ａ、Ｂ、Ｃ、Ｄ、Ｅ、Ｆ、Ｇ、Ｈ、Ｉ及びＪに記載の掃除用品１０。
Ｌ．当該少なくとも１つの２次結合部３４が複数の２次結合部３４を備え、当該複数の２次結合部３４の各当該２次結合部３４が直線状であり、当該複数のトウ繊維全体にわたって、当該複数のトウ繊維全体に対する横断方向に延在する、段落Ａ、Ｂ、Ｃ、Ｄ、Ｅ、Ｆ、Ｇ、Ｈ、Ｉ、Ｊ及びＫに記載の掃除用品１０。
Ｍ．当該少なくとも１つの２次結合部３４が複数の２次結合部３４を備え、当該複数の２次結合部３４の各当該２次結合部３４が、当該複数のトウ繊維の房１５の縁部２２０、２２２と交差し、そこから末端部まで延在する、段落Ａ、Ｂ、Ｃ、Ｄ、Ｅ、Ｆ、Ｇ、Ｈ、Ｉ、Ｊ、Ｋ及びＬに記載の掃除用品１０。
Ｎ．当該少なくとも１つの２次結合部３４が複数の２次結合部３４を備え、当該複数の２次結合部３４の各当該２次結合部３４が、当該トウ繊維の複数の房１５のそれぞれの縁部２２０、２２２と交差し、そこから末端部まで延在し、当該末端部が当該長手方向軸と一致しない、段落Ａ、Ｂ、Ｃ、Ｄ、Ｅ、Ｆ、Ｇ、Ｈ、Ｉ、Ｊ、Ｋ、Ｌ及びＭに記載の掃除用品１０。
Ｏ．当該少なくとも１個の２次結合部３４が、当該複数の房１５の第１の長手方向縁部２２０と交差して、そこからそれぞれの第１の複数の末端部まで延在する第１の複数の２次結合部３４を備え、当該複数の房１５の第２の長手方向縁部２２０と交差して、そこから複数のそれぞれの第２の末端部まで延在する第２の複数の２次結合部３４を備える、段落Ａ、Ｂ、Ｃ、Ｄ、Ｅ、Ｆ、Ｇ、Ｈ、Ｉ、Ｊ、Ｋ、Ｌ、Ｍ及びＮに記載の掃除用品１０。
Ｐ．当該少なくとも１つの２次結合部３４が、当該複数の房１５の第１の長手方向縁部２２０と交差して、そこからそれぞれの第１の複数の末端部まで延在する第１の複数の２次結合部３４を備え、当該複数の房１５の長手方向縁部２２０と交差して、そこからそれぞれの第２の複数の末端部まで延在する第２の複数の２次結合部３４を備え、当該第１の複数の２次結合部３４及び当該第２の複数の２次結合部３４が山形パターンで配列されている、段落Ａ、Ｂ、Ｃ、Ｄ、Ｅ、Ｆ、Ｇ、Ｈ、Ｉ、Ｊ、Ｋ、Ｌ、Ｍ、Ｎ及びＯに記載の掃除用品１０。
Ｑ．当該少なくとも１つの２次結合部３４が複数の２次結合部３４を備え、当該複数の２次結合部３４の各当該２次結合部３４が、当該房１５の当該長手方向縁部２２０と交差して、そこから末端部まで収束する、段落Ａ、Ｂ、Ｃ、Ｄ、Ｅ、Ｆ、Ｇ、Ｈ、Ｉ、Ｊ、Ｋ、Ｌ、Ｍ、Ｎ及びＯに記載の掃除用品１０。
Ｒ．当該少なくとも１つの２次結合部３４が複数の２次結合部３４を備え、当該複数の２次結合部３４の各当該２次結合部３４が、当該複数の房１５の長手方向縁部２２０と交差して、そこから末端部まで延在し、当該２次結合部３４が２〜１２ｍｍの一定幅を有する、段落Ａ、Ｂ、Ｃ、Ｄ、Ｅ、Ｆ、Ｇ、Ｈ、Ｉ、Ｊ、Ｋ、Ｌ、Ｍ、Ｎ及びＯに記載の掃除用品１０。
Ｓ．当該少なくとも１つの２次結合部３４が複数の２次結合部３４を備え、当該複数の２次結合部３４の各当該２次結合部３４が、当該複数の房１５の１つの長手方向縁部２２０と交差して、当該長手方向軸に概ね垂直に延在する、段落Ａ、Ｂ、Ｃ、Ｄ、Ｅ、Ｆ、Ｇ、Ｈ、Ｉ、Ｊ、Ｋ、Ｌ、Ｍ、Ｎ及びＯに記載の掃除用品１０。
Ｔ．当該少なくとも１つの２次結合部３４が複数の２次結合部３４を備え、当該複数の２次結合部３４の各当該２次結合部３４が、当該複数の房１５の１つの当該長手方向縁部２２０と交差して、そこから対角線状に延在する、段落Ａ、Ｂ、Ｃ、Ｄ、Ｅ、Ｆ、Ｇ、Ｈ、Ｉ、Ｊ、Ｋ、Ｌ、Ｍ、Ｎ及びＯに記載の掃除用品１０。
【０１０５】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は「約４０ｍｍ」を意味することが意図されており、「約１１００ｋＰａ」と開示された圧力は、１１０３．２ｋＰａを含むことが意図されている。
【０１０６】
相互参照される文書又は関連特許若しくは出願を含めた、本明細書に引用される全ての文書は、明示的に除外されるか又は特に限定されない限り、参照することによりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。範囲を規定するものとして本明細書で示した全ての限定を、範囲を規定する任意の他の限定と共に用いてもよい。すなわち、ある範囲の上限を別の範囲の下限と共に用いてもよく、逆もまた同様である。
【０１０７】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１Ａ】
2021516573.tif 000004
【図１Ｂ】
2021516573.tif 000005
【図１Ｃ】
2021516573.tif 000006
【図１Ｄ】
2021516573.tif 000007
【図１Ｅ】
2021516573.tif 000008
【図１Ｆ】
2021516573.tif 000009
【図２Ａ】
2021516573.tif 000010
【図２Ｂ】
2021516573.tif 000011
【図２Ｃ】
2021516573.tif 000012
【図２Ｄ】
2021516573.tif 000013
【図２Ｅ】
2021516573.tif 000014
【図２Ｆ】
2021516573.tif 000015
【図３Ａ】
2021516573.tif 000016
【図３Ｂ】
2021516573.tif 000017
【図３Ｃ】
2021516573.tif 000018
【図４Ａ】
2021516573.tif 000019
【図４Ｂ】
2021516573.tif 000020
【図４Ｃ】
2021516573.tif 000021
【図５Ａ】
2021516573.tif 000022
【図５Ｂ】
2021516573.tif 000023
【図５Ｃ】
2021516573.tif 000024
【図６Ａ】
2021516573.tif 000025
【図６Ｂ】
2021516573.tif 000026
【図６Ｃ】
2021516573.tif 000027
【図７Ａ】
2021516573.tif 000028
【図７Ｂ】
2021516573.tif 000029
【図７Ｃ】
2021516573.tif 000030
【図８Ａ】
2021516573.tif 000031
【図８Ｂ】
2021516573.tif 000032
【図８Ｃ】
2021516573.tif 000033
【図９Ａ】
2021516573.tif 000034
【図９Ｂ】
2021516573.tif 000035
【図９Ｃ】
2021516573.tif 000036
【図１０Ａ】
2021516573.tif 000037
【図１０Ｂ】
2021516573.tif 000038
【図１０Ｃ】
2021516573.tif 000039
【図１１Ａ】
2021516573.tif 000040
【図１１Ｂ】
2021516573.tif 000041
【図１１Ｃ】
2021516573.tif 000042
【図１２Ａ】
2021516573.tif 000043
【図１２Ｂ】
2021516573.tif 000044
【図１２Ｃ】
2021516573.tif 000045
【図１２Ｄ】
2021516573.tif 000046
【図１２Ｅ】
2021516573.tif 000047
【図１２Ｆ】
2021516573.tif 000048
【図１３Ａ】
2021516573.tif 000049
【図１３Ｂ】
2021516573.tif 000050
【図１３Ｃ】
2021516573.tif 000051
【図１４Ａ】
2021516573.tif 000052
【図１４Ｂ】
2021516573.tif 000053
【図１４Ｃ】
2021516573.tif 000054
【図１５Ａ】
2021516573.tif 000055
【図１５Ｂ】
2021516573.tif 000056
【図１５Ｃ】
2021516573.tif 000057
【図１６Ａ】
2021516573.tif 000058
【図１６Ｂ】
2021516573.tif 000059
【図１６Ｃ】
2021516573.tif 000060
【図１７】
2021516573.tif 000061
【図１８】
2021516573.tif 000062
【図１９Ａ】
2021516573.tif 000063
【図１９Ｂ】
2021516573.tif 000064
【図２０Ａ】
2021516573.tif 000065
【図２０Ｂ】
2021516573.tif 000066
【図２０Ｃ】
2021516573.tif 000067
【国際調査報告】
2021516573.tif 000068
2021516573.tif 000069
2021516573.tif 000070
2021516573.tif 000071
2021516573.tif 000072